(57)【要約】【課題】ケース嵌合作業を誰でも簡単に行なえる作業とする。【解決手段】基盤となるベースプレート１と、一方の空調ケース６を位置決め保持してベースプレート１上に位置決め固定されたケースガイド２と、ケースガイド２で位置決めされた空調ケース６のドアシャフト孔６ａの位置に対応させてベースプレート１上に位置決め固定されたドアシャフトガイド４とを備え、ドアシャフト孔６ａにドア７を挿入組み付けした際、ドア７が略垂直姿勢となるよう下方のシャフト端部７ａをドアシャフトガイド４で保持する。これにより、一方の空調ケース６にドア７を従来と同様に挿入組み付けした状態で、各ドア７が略垂直姿勢に立つため、他方の空調ケース８は一方の空調ケース６と位置合わせした後、垂直に降ろして嵌合させれば各ドアシャフトも合ってケース嵌合が成されることとなる。【選択図】        図３
2004155255.tif 000002
【特許請求の範囲】
【請求項１】
基盤となるベースプレート（１）と、
一方の空調ケース（６）を位置決め保持して前記ベースプレート（１）上に位置決め固定されたケースガイド（２）と、
前記ケースガイド（２）で位置決めされた前記空調ケース（６）のドアシャフト孔（６ａ）の位置に対応させて前記ベースプレート（１）上に位置決め固定されたドアシャフトガイド（４）とを備え、
前記ドアシャフト孔（６ａ）にドア（７）を挿入組み付けした際、前記ドア（７）が略垂直姿勢となるよう下方のシャフト端部（７ａ）を前記ドアシャフトガイド（４）で保持することを特徴とする空調ユニット組立装置。
【請求項２】
前記ケースガイド（２）は、前記空調ケース（６）の嵌合面（６ｂ）よりも上方へ突出したガイド面（２ａ）を持っていることを特徴とする請求項１に記載の空調ユニット組立装置。
【請求項３】
前記ベースプレート（１）に位置決め形状（１ａ）を升目状に配置すると共に、前記ケースガイド（２）および前記ドアシャフトガイド（４）は、前記位置決め形状（１ａ）を選択して位置決めすることを特徴とする請求項１または請求項２に記載の空調ユニット組立装置。
【請求項４】
前記空調ユニットは、車両用空調装置の車室内空調ユニットであることを特徴とする請求項１ないし請求項３のいずれかに記載の空調ユニット組立装置。
【発明の詳細な説明】
【０００１】
【発明の属する技術分野】
本発明は、車両用空調装置の車室内空調ユニットを組み立てる際に空調ケースやドアを位置決め保持する空調ユニット組立装置に関する。
【０００２】
【従来の技術】
車両用空調装置で車室内に搭載される空調ユニットは、空調ケース内に熱交換器の他に開口切替手段として複数枚のドアが組み込まれる。従来、このような空調ユニットの多くは、ケース嵌合の難しさより手作業で組み立てられている。図４は、従来の組立方法を説明する模式断面図であり、（ａ）は一方の空調ケース６に複数枚のドア７を組み付けた状態、（ｂ）は（ａ）に他方の空調ケース８を嵌合する時の状態を示す。
【０００３】
【発明が解決しようとする課題】
図４に示すように、従来の手作業による組み立ては、ベルトコンベア９上で作業が行なわれており、空調ケース６の外面は取り付けブラケット部６ｃ等の突起部が出ていて平坦ではないため、空調ケース６は大抵傾いた姿勢でベルトコンベア９上に置かれる。そして、その空調ケース６のドアシャフト孔６ａに、各ドア７の下方のシャフト端部７ａを挿入して組み付けるが（図４（ａ）の状態）、各ドア７はドアシャフト孔６ａとシャフト端部７ａとの隙の分だけ重力方向に傾いた姿勢となる。
【０００４】
その状態において他方の空調ケース８を嵌合しようとしても、空調ケース８側のドアシャフト孔８ａとドア７の上方のシャフト端部７ｂとが合わないためケース嵌合ができない。そのため、熟練作業者が嵌合途中のケース内に手を差し入れて、各ドア７を一本づつ上方のシャフト端部７ｂとドアシャフト孔８ａとを合わせ、それから両ケースの嵌合部を嵌合するという作業を行なっている。よってケース嵌合作業は、勘やコツと熟練とを要するため特定作業者しかできないうえ、その熟練作業者にしても作業性が悪く時間が掛かるという問題点がある。
【０００５】
本発明は、上記従来の問題点に鑑みて成されたものであり、その目的は、ケース嵌合作業を誰でも簡単に行なえる作業にできる空調ユニット組立装置を提供することにある。
【０００６】
【課題を解決するための手段】
上記目的を達成するために、請求項１ないし請求項４に記載の技術的手段を採用する。すなわち、請求項１に記載の発明では、基盤となるベースプレート（１）と、一方の空調ケース（６）を位置決め保持してベースプレート（１）上に位置決め固定されたケースガイド（２）と、ケースガイド（２）で位置決めされた空調ケース（６）のドアシャフト孔（６ａ）の位置に対応させてベースプレート（１）上に位置決め固定されたドアシャフトガイド（４）とを備え、ドアシャフト孔（６ａ）にドア（７）を挿入組み付けした際、ドア（７）が略垂直姿勢となるよう下方のシャフト端部（７ａ）をドアシャフトガイド（４）で保持することを特徴とする。
【０００７】
これにより、一方の空調ケース（６）にドア（７）を従来と同様に挿入組み付けした状態で、各ドア（７）が略垂直姿勢に立つため、他方の空調ケース（８）は一方の空調ケース（６）と位置合わせした後、垂直に降ろして嵌合させれば各ドアシャフトも合ってケース嵌合が成されることとなる。よって、ケース嵌合作業を誰でも簡単に行なえる作業とすることができる。
【０００８】
請求項２に記載の発明では、ケースガイド（２）は、空調ケース（６）の嵌合面（６ｂ）よりも上方へ突出したガイド面（２ａ）を持っていることを特徴とする。これによりケースガイド（２）は、一方の空調ケース（６）の位置決め保持をするだけではなく、嵌合する際に他方の空調ケース（８）も位置決めするため、ケース嵌合作業をより簡単な作業とすることができる。
【０００９】
請求項３に記載の発明では、ベースプレート（１）に位置決め形状（１ａ）を升目状に配置すると共に、ケースガイド（２）およびドアシャフトガイド（４）は、位置決め形状（１ａ）を選択して位置決めすることを特徴とする。これにより、空調ユニットの機種が変わった場合など、一部のガイド（２・４）を修正または造り替え、空調ケース（６）の大きさ・形状に合わせて組み直すことで変更して対応できるため、製造コストを抑えることができる。
【００１０】
請求項４に記載の発明では、空調ユニットは、車両用空調装置の車室内空調ユニットであることを特徴とする。これは、車両用空調装置の車室内空調ユニットの組み立てに用いて好適であることによる。尚、上記各手段の括弧内の符号は、後述する実施形態に記載の具体的手段との対応関係を示す一例である。
【００１１】
【発明の実施の形態】
以下、本発明の実施形態を、図面に基づき説明する。図１は本発明の一実施形態における空調ユニット組立治具の斜視図であり、図２は図１の部分拡大斜視図である。本実施形態でいう空調ユニットは、車両用空調装置のヒータユニットやエアコンユニット等の車室内空調ユニットであり、空調ケース（本実施形態では、一方と他方とに二分割されたものを前提）６・８内に図示しない加熱用や冷却用の熱交換器の他に各部の開口切替手段として複数枚のドア７が組み込まれる。
【００１２】
本実施形態の空調ユニット組立治具は、その空調ユニットを組み立てる組立ラインで、ライン上またはラインサイドに置いて組立作業に用いられているが、もちろん組立ラインでケースを位置決めしながら搬送するパレットとして用いても良い。
【００１３】
まず本治具は、基盤となるベースプレート１を備える。ベースプレート１は、取り扱い容易なように、軽いアルミニウム・樹脂・合板等の板材からなる。そして、本実施形態では図１・２に示すように、そのベースプレート１表面に位置決め形状としての角孔１ａが升目状に開いたものを用いている。但し、この位置決め形状１ａは角孔に限るものではなく、加工が容易で一般的な丸孔であっても良いし、レゴブロックのように位置決め突起が升目状に並んだものであっても良い。
【００１４】
そしてその位置決め孔１ａを使い、ベースプレート１上の必要箇所に複数個、空調ユニットの一方の空調ケース６を位置決め保持するためのケースガイド２を位置決め固定している。このケースガイド２は、アルミニウム・樹脂・木材等の角材等に削りを加えたものでも良いし、例えばアルミニウムの板材を曲げ加工したもの等であっても良い。
【００１５】
また、これらのケースガイド２で組み付け時の荷重を受けきれない場合等には、ケース受け３を必要箇所に配置し、位置決め孔１ａを使って固定してある。そして、このようにケースガイド２で位置決め保持された空調ケース６のドアシャフト孔６ａの位置に対応させ、そのドアシャフト孔６ａの直下にドアシャフトガイド４を、上記位置決め孔１ａを使ってベースプレート１上に位置決め固定している。
【００１６】
これらケース受け３およびドアシャフトガイド４は、例えばアルミニウムや樹脂等の棒材等から削り出して作ったもので、下方部に位置決め部４ｂを形成し、その上にフランジ部４ｃを形成し、天面にケース受け３であればケース受け面を、またドアシャフトガイド４であればドアシャフトガイド穴４ａを形成している。
【００１７】
そして、これらケース受け３およびドアシャフトガイド４を、ベースプレート１の必要個所の位置決め孔１ａに上記位置決め部４ｂを挿入してセットし、上記フランジ部４ｃに設けたボルト孔４ｄにボルト５を通し、セットした位置決め孔１ａの脇に開けられたねじ穴１ｂに締め付けることで位置決め固定している。
【００１８】
尚、位置決め孔１ａのピッチだけではドアシャフト孔６ａの位置とドアシャフトガイド穴４ａの位置とが合わない場合は、ドアシャフトガイド４の中心に対してドアシャフトガイド穴４ａをずらして開けることで対応している。ちなみに図１中の１０は、本空調ユニット組立治具を機種変更等で入れ替える時等に持って扱うための取っ手である。
【００１９】
次に、図３の模式断面図に基づき、上記構成における空調ユニット組立治具を用いた組立方法（ケース嵌合作業）について説明する。まず本空調ユニット組立治具のケースガイド２のガイド部２ａに沿って一方の空調ケース６をセットする。この時、ケースガイド２のガイド部２ａは、空調ケース６の嵌合面６ｂよりまだ上方に突出するようになっている。
【００２０】
また、必要個所にはケース受け３（図３には図示無し）が当接し、空調ケース６の各ドアシャフト孔６ａの直下にはドアシャフトガイド４が位置することとなる。また、ケースガイド２によりブラケット部６ｃ等の突起部がベースプレート１に当たらない高さで、空調ケース６の嵌合面６ｂが水平となる姿勢で位置決め保持される。
【００２１】
次に、この空調ケース６に、必要に応じて図示しない熱交換器等をセットすると共に、複数枚のドア７を挿入組み付けする。各ドア７の下方シャフト端部７ａは、ドアシャフト孔６ａと共に、その下のドアシャフトガイド４のドアシャフトガイド穴４ａに挿入されて保持されるため、各ドア７は略垂直姿勢に立つこととなる。
【００２２】
そして、他方の空調ケース８を、空調ケース６の嵌合面６ｂよりまだ上方に突出したケースガイド２のガイド部２ａに沿って位置決めし、嵌合面の水平姿勢を保ったまま下方へ降ろすことにより、各ドア７の上方シャフト端部７ｂと空調ケース８のドアシャフト孔８ａとが合って挿入されると共に、両空調ケース６・８の嵌合部の嵌合が成される。後は両空調ケース６・８に設けた図示しない締結部を、ねじ締め等で締結することによりケース嵌合作業が終了する。
【００２３】
次に、本実施形態での特徴を説明する。基盤となるベースプレート１と、一方の空調ケース６を位置決め保持してベースプレート１上に位置決め固定されたケースガイド２と、ケースガイド２で位置決めされた空調ケース６のドアシャフト孔６ａの位置に対応させてベースプレート１上に位置決め固定されたドアシャフトガイド４とを備え、ドアシャフト孔６ａにドア７を挿入組み付けした際、ドア７が略垂直姿勢となるよう下方のシャフト端部７ａをドアシャフトガイド４で保持している。
【００２４】
これにより、一方の空調ケース６にドア７を従来と同様に挿入組み付けした状態で、各ドア７が略垂直姿勢に立つため、他方の空調ケース８は一方の空調ケース６と位置合わせした後、垂直に降ろして嵌合させれば各ドアシャフトも合ってケース嵌合が成されることとなる。よって、ケース嵌合作業を誰でも簡単に行なえる作業とすることができる。
【００２５】
また、ケースガイド２は、空調ケース６の嵌合面６ｂよりも上方へ突出したガイド面２ａを持っている。これによりケースガイド２は、一方の空調ケース６の位置決め保持をするだけではなく、嵌合する際に他方の空調ケース８も位置決めするため、ケース嵌合作業をより簡単な作業とすることができる。
【００２６】
また、ベースプレート１に位置決め孔１ａを升目状に配置すると共に、ケースガイド２・ケース受け３・ドアシャフトガイド４は、位置決め孔１ａを選択して位置決めしている。これにより、空調ユニットの機種が変わった場合など、一部のガイド２・４や受け３を修正または造り替え、空調ケース６の大きさ・形状に合わせて組み直すことで変更して対応できるため、製造コストを抑えることができる。
【００２７】
また、空調ユニットは、車両用空調装置の車室内空調ユニットである。これは、車両用空調装置の車室内空調ユニットの組み立てに用いて好適であることによる。
【００２８】
（その他の実施形態）
上述の実施形態では、ベースプレート１に位置決め孔１ａを升目状に配置したものを用いているが、本発明はこれに限定されるものではなく、もちろん平板のベースプレート１の必要位置に、位置決め孔１ａとねじ孔１ｂとを設けたものであっても良い。
【図面の簡単な説明】
【図１】本発明の一実施形態における空調ユニット組立治具の斜視図である。
【図２】図１の部分拡大斜視図である。
【図３】本発明の空調ユニット組立治具を用いた組立方法を説明する模式断面図である。
【図４】従来の組立方法を説明する模式断面図であり、（ａ）は一方の空調ケースに複数枚のドアを組み付けた状態、（ｂ）は（ａ）に他方の空調ケースを嵌合する時の状態を示す。
【符号の説明】
１  ベースプレート
１ａ  位置決め孔（位置決め形状）
２  ケースガイド
２ａ  ガイド面
４  ドアシャフトガイド
６  空調ケース
６ａ  ドアシャフト孔
６ｂ  嵌合面
７  ドア
７ａ  シャフト端部
【図１】
2004155255.tif 000003
【図２】
2004155255.tif 000004
【図３】
2004155255.tif 000005
【図４】
2004155255.tif 000006